(57)【要約】【課題】新鮮さを失わずに、瞬時に利用者の五感の少なくともいずれかに名言や格言、良い言葉その他の言葉を届けることができる道具を提供する。【解決手段】スマートフォンカバー１１は、少なくとも部分的にスマートフォンＳＰに重ねられて、スマートフォンＳＰに結合されるカバー本体１２と、カバー本体１２上に配置された感圧スイッチ２１とを備える。カバー本体１２には、特定の人物の肉声を特定する複数の音声データを記憶する記憶装置と、感圧スイッチ２１のオン動作に応じて、複数の中から選択された音声データを特定する処理装置と、特定された音声データに基づき肉声を出力する音声再生機とが結合される。【選択図】図１
2017108909.tif 000002
【特許請求の範囲】
【請求項１】
少なくとも部分的にスマートフォンに重ねられて、前記スマートフォンに結合されるカバー本体と、
前記カバー本体上に配置された感圧スイッチと、
前記カバー本体に結合されて、特定の人物の肉声を特定する複数の音声データを記憶する記憶装置と、
前記カバー本体に結合されて、前記感圧スイッチのオン動作に応じて、複数の中から選択された前記音声データを特定する処理装置と、
特定された前記音声データに基づき前記肉声を出力する音声再生機と、
を備えることを特徴とするスマートフォンカバー。
【請求項２】
請求項１に記載のスマートフォンカバーにおいて、
前記記憶装置には、前記音声データごとに前記肉声に連動する前記人物の動画像を特定する複数の映像データがさらに記憶され、
前記処理装置は、前記感圧スイッチの前記オン動作に応じて、選択された前記音声データに関連する前記映像データを前記音声データとともに特定し、
前記カバー本体には、特定された前記映像データに基づき動画像を表示するディスプレイが結合される
ことを特徴とするスマートフォンカバー。
【請求項３】
請求項１または２に記載のスマートフォンカバーにおいて、前記処理装置は、前記感圧スイッチのオン動作のたびに乱数を生成する乱数発生器を含み、前記乱数に応じて前記音声データを選択することを特徴とするスマートフォンカバー。
【請求項４】
請求項１または２に記載のスマートフォンカバーにおいて、選択された前記音声データごとに割り当てられる複数の前記感圧スイッチを備えることを特徴とするスマートフォンカバー。
【請求項５】
筐体と、
前記筐体上に配置された感圧スイッチと、
前記筐体に組み込まれて、特定の人物の肉声を特定する複数の音声データを記憶する記憶装置と、
前記筐体に組み込まれて前記感圧スイッチおよび前記記憶装置に接続され、前記感圧スイッチのオン動作に応じて、複数の中から選択された前記音声データを特定する処理装置と、
前記処理装置に接続されて、特定された前記音声データに基づき前記肉声を出力する音声再生機と、
を備えることを特徴とする発言再現装置。
【請求項６】
請求項５に記載の発言再現装置において、前記筐体の外向き平面には粘着層が積層されることを特徴とする発言再現装置。
【請求項７】
請求項６に記載の発言再現装置において、前記粘着層は剥離材で覆われることを特徴とする発言再現装置。
【請求項８】
請求項５〜７のいずれか１項に記載の発言再現装置において、
前記記憶装置には、前記音声データごとに前記肉声に連動する前記人物の動画像を特定する複数の映像データがさらに記憶され、
前記処理装置は、前記感圧スイッチの前記オン動作に応じて、選択された前記音声データに関連する前記映像データを前記音声データとともに特定し、
前記筐体には、特定された前記映像データに基づき動画像を表示するディスプレイが結合される
ことを特徴とする発言再現装置。
【請求項９】
請求項５〜８のいずれか１項に記載の発言再現装置において、前記処理装置は、前記感圧スイッチのオン動作のたびに乱数を生成する乱数発生器を含み、前記乱数に応じて前記音声データを選択することを特徴とする発言再現装置。
【請求項１０】
請求項５〜８のいずれか１項に記載の発言再現装置において、選択された前記音声データごとに割り当てられる複数の前記感圧スイッチを備えることを特徴とする発言再現装置。
【発明の詳細な説明】
【技術分野】
【０００１】
本発明はスマートフォンカバーおよび発言再現装置に関する。
【背景技術】
【０００２】
ひとは、悲しいとき、落ち込んだとき、苦しいとき、成功者や著名人、歴史上の人物の名言や格言、良い言葉によってしばしば励まされ、勇気づけられ、支えられ、教えられ、癒やされ、言葉から力やエネルギーを受け取る。こうした名言や格言、良い言葉は例えば手帳に書き込まれることができる。
【先行技術文献】
【特許文献】
【０００３】
【特許文献１】特開２０１５−１９７９０８号公報
【発明の概要】
【発明が解決しようとする課題】
【０００４】
しかしながら、書き込まれた言葉は常に同じ位置同じ順序で視覚的に認知されることから、新鮮さが失われやすく、受け取る力やエネルギーが減少してしまう。しかも、利用者が悲しいと感じたとき、落ち込んだとき、苦しいと感じたときに、煩わしい動作を経ることなく、瞬時に利用者に名言や格言、良い言葉を伝える道具は実現されていない。
【０００５】
本発明は、新鮮さを失わずに、瞬時に利用者の五感の少なくともいずれかに名言や格言、良い言葉その他の言葉を届けることができる道具を提供することを目的とする。
【課題を解決するための手段】
【０００６】
本発明の第１側面によれば、少なくとも部分的にスマートフォンに重ねられて、前記スマートフォンに結合されるカバー本体と、前記カバー本体上に配置された感圧スイッチと、前記カバー本体に結合されて、特定の人物の肉声を特定する複数の音声データを記憶する記憶装置と、前記カバー本体に結合されて、前記感圧スイッチのオン動作に応じて、複数の中から選択された前記音声データを特定する処理装置と、特定された前記音声データに基づき前記肉声を出力する音声再生機とを備えるスマートフォンカバーは提供される。
【０００７】
第２側面によれば、第１側面の構成に加えて、前記記憶装置には、前記音声データごとに前記肉声に連動する前記人物の動画像を特定する複数の映像データがさらに記憶され、前記処理装置は、前記感圧スイッチの前記オン動作に応じて、選択された前記音声データに関連する前記映像データを前記音声データとともに特定し、前記カバー本体には、特定された前記映像データに基づき動画像を表示するディスプレイが結合される。
【０００８】
第３側面によれば、第１または第２側面の構成に加えて、前記処理装置は、前記感圧スイッチのオン動作のたびに乱数を生成する乱数発生器を含み、前記乱数に応じて前記音声データを選択する。
【０００９】
第４側面によれば、第１または第２側面の構成に加えて、スマートフォンカバーは、選択された前記音声データごとに割り当てられる複数の前記感圧スイッチを備える。
【００１０】
第５側面によれば、筐体と、前記筐体上に配置された感圧スイッチと、前記筐体に組み込まれて、特定の人物の肉声を特定する複数の音声データを記憶する記憶装置と、前記筐体に組み込まれて前記感圧スイッチおよび前記記憶装置に接続され、前記感圧スイッチのオン動作に応じて、複数の中から選択された前記音声データを特定する処理装置と、前記処理装置に接続されて、特定された前記音声データに基づき前記肉声を出力する音声再生機とを備える発言再現装置は提供される。
【００１１】
第６側面によれば、第５側面の構成に加えて、前記筐体の外向き平面には粘着層が積層される。
【００１２】
第７側面によれば、第６側面の構成に加えて、前記粘着層は剥離材で覆われる。
【００１３】
第８側面によれば、第５〜第７側面のいずれかの構成に加えて、前記記憶装置には、前記音声データごとに前記肉声に連動する前記人物の動画像を特定する複数の映像データがさらに記憶され、前記処理装置は、前記感圧スイッチの前記オン動作に応じて、選択された前記音声データに関連する前記映像データを前記音声データとともに特定し、前記筐体には、特定された前記映像データに基づき動画像を表示するディスプレイが結合される。
【００１４】
第９側面によれば、第５〜第８側面のいずれかの構成に加えて、前記処理装置は、前記感圧スイッチのオン動作のたびに乱数を生成する乱数発生器を含み、前記乱数に応じて前記音声データを選択する。
【００１５】
第１０側面によれば、第５〜第８側面のいずれかの構成に加えて、発言再現装置は、選択された前記音声データごとに割り当てられる複数の前記感圧スイッチを備える。
【発明の効果】
【００１６】
第１側面によれば、スマートフォンカバーはカバー本体でスマートフォンに固定される。利用者の操作に基づき感圧スイッチのオン動作が確立されると、すぐさま特定の人物の肉声が再生される。音声データに、成功者や著名人、歴史上の人物の名言や格言、良い言葉が含まれていれば、利用者の耳には、特定の人物の肉声で名言や格言、良い言葉が届く。こうして、利用者が悲しいと感じたとき、落ち込んだとき、苦しいと感じたときに、煩わしい動作を経ることなく、瞬時に利用者に名言や格言、良い言葉は伝えられる。しかも、特定の人物の肉声が用いられることから、音声再生機は擬人化され、長期にわたって新鮮さは維持されることができる。利用者は日常的にスマートフォンを持ち歩くことから、利用者は、場面ごとに、どんなところにいても、手軽に特定の人物の肉声で名言や格言、良い言葉を聞くことができ、名言や格言、良い言葉によって励まされ、勇気づけられ、支えられ、教えられ、癒やされ、言葉から力やエネルギーを受け取ることができる。
【００１７】
第２側面によれば、利用者の操作に基づき感圧スイッチのオン動作が確立されると、肉声とともに特定の人物の動画像が再生される。利用者は、特定の人物の肉声で名言や格言、良い言葉を聞くことができるだけでなく、その人物の動画像を視覚で確認することができる。音声再生機とともにディスプレイは擬人化され、長期にわたって新鮮さは維持されることができる。
【００１８】
第３側面によれば、感圧スイッチが操作されるたびにランダムに音声データは選択される。利用者は、再生される肉声の言葉を予測することができない。新鮮さはさらに増長される。
【００１９】
第４側面によれば、感圧スイッチを選ぶことで利用者は再生される肉声の言葉を選択することができる。利用者は、自ら聞きたい良い言葉を再生させ、聞くことができる。
【００２０】
第５側面によれば、利用者の操作に基づき感圧スイッチのオン動作が実施されると、すぐさま特定の人物の肉声が再生される。音声データに、成功者や著名人、歴史上の人物の名言や格言、良い言葉が含まれていれば、利用者の耳には、特定の人物の肉声で名言や格言、良い言葉が届く。こうして、利用者が悲しいと感じたとき、落ち込んだとき、苦しいと感じたときに、煩わしい動作を経ることなく、瞬時に利用者に名言や格言、良い言葉は伝えられる。しかも、特定の人物の肉声が用いられることから、音声再生機は擬人化され、長期にわたって新鮮さは維持されることができる。利用者は日常的にスマートフォンを持ち歩くことから、利用者は、場面ごとに、どんなところにいても、手軽に特定の人物の肉声で名言や格言、良い言葉を聞くことができ、名言や格言、良い言葉によって励まされ、勇気づけられ、支えられ、教えられ、癒やされ、言葉から力やエネルギーを受け取ることができる。
【００２１】
第６側面によれば、粘着層は、手帳やスマートフォン、定期入れ、名刺入れ、小銭入れ、革製品、筆箱、消しゴム、修正テープ、ブックカバー、メガネケース、ファンデーションケース、化粧品ケース、鏡、ブラシ、ポーチ、歯磨きケース、口紅、タブレット型端末のカバー、電卓、その他の対象物の平面に発言再現装置の筐体を接着する粘着力を発揮する。こうして様々な物品に発言再現装置は固着されることができる。
【００２２】
第７側面によれば、剥離材は粘着層の露出を回避する。剥離材は粘着層の粘着作用を温存する。利用者は、粘着層から剥離材を剥がし、携帯する持ち物に簡単に発言再現装置を固着することができる。こうして利用者は好みに応じて任意の物品に発言再現装置を貼り付けることができる。
【００２３】
第８側面によれば、利用者の操作に基づき感圧スイッチのオン動作が確立されると、肉声とともに特定の人物の動画像が再生される。利用者は、特定の人物の肉声で名言や格言、良い言葉を聞くことができるだけでなく、その人物の動画像を視覚で確認することができる。音声再生機とともにディスプレイは擬人化され、長期にわたって新鮮さは維持されることができる。
【００２４】
第９側面によれば、感圧スイッチが操作されるたびにランダムに音声データは選択される。利用者は、再生される肉声の言葉を予測することができない。新鮮さはさらに増長される。
【００２５】
第１０側面によれば、感圧スイッチを選ぶことで利用者は再生される肉声の言葉を選択することができる。利用者は、自ら聞きたい良い言葉を再生させ、聞くことができる。
【図面の簡単な説明】
【００２６】
【図１】本発明の第１実施形態に係るスマートフォンカバーを概略的に示す斜視図である。
【図２】発言再現装置の構成を概略的に示すブロック図である。
【図３】音声データの構造を概略的に示す概念図である。
【図４】発言再現装置の動作を概略的に示す拡大正面図である。
【図５】本発明の第２実施形態に係るスマートフォンカバーを概略的に示す斜視図である。
【図６】本発明の第３実施形態に係るスマートフォンカバーを概略的に示す斜視図である。
【図７】本発明の第４実施形態に係る発言再現装置を概略的に示す拡大正面図である。
【図８】筐体の裏側から発言再現装置を概略的に示す斜視図である。
【図９】本発明の第５実施形態に係る発言再現装置を概略的に示す拡大正面図である。
【図１０】本発明の第６実施形態に係る発言再現装置を概略的に示す拡大正面図である。
【発明を実施するための形態】
【００２７】
以下、添付図面を参照しつつ本発明の一実施形態を説明する。
【００２８】
図１は第１実施形態に係るスマートフォンカバー１１を概略的に示す。スマートフォンカバー１１は、少なくとも部分的にスマートフォンＳＰに重ねられてスマートフォンＳＰに結合されるカバー本体１２を備える。カバー本体１２は例えばベース１３および扉体１４を備える。ベース１３は例えば樹脂材料から例えば板形状に成形される。ベース１３は、スマートフォンＳＰの輪郭よりも外側に広がる大きさを有する。ベース１３はスマートフォンＳＰの裏面に重ねられてスマートフォンＳＰに固定される。ベース１３はスマートフォンＳＰの裏面を覆い隠す。
【００２９】
ベース１３に扉体１４が結合される。扉体１４は例えば樹脂材料から例えば板形状に成形される。扉体１４は、スマートフォンＳＰの輪郭よりも外側に広がる大きさを有する。扉体１４は、ベース１３の縁に平行な軸１５回りでベース１３に対して開閉動作を実現する。こうした開閉動作の実現にあたってベース１３と扉体１４との間には例えばヒンジ機構が確立される。ヒンジ機構の確立にあたってベース１３と扉体１４とは軟性の樹脂体で相互に連結されればよい。扉体１４がベース１３に向かって閉じられると、扉体１４はスマートフォンＳＰの表面に重ねられスマートフォンＳＰの表面を覆い隠す。
【００３０】
扉体１４の表面には発言再現装置１６が結合される。発言再現装置１６は筐体１７を備える。筐体１７は、一体成型に基づき扉体１４に連続してもよく、別体に形成されて接着剤その他の結合手段で扉体１４に結合されてもよい。筐体１７の表面にはディスプレイ１８が配置される。ディスプレイ１８は筐体１７の表面に埋め込まれる。こうしてディスプレイ１８はカバー本体１２に結合される。ディスプレイ１８には後述される映像データに基づき動画像が映し出される。
【００３１】
筐体１７の表面にはボタンスイッチ（感圧スイッチ）２１が配置される。ボタンスイッチ２１は筐体１７の表面に埋め込まれる。こうしてボタンスイッチ２１はカバー本体１２上に配置される。ボタンスイッチ２１は、筐体１７の表面に露出するボタン形状の操作片２１ａを備える。操作片２１ａは、筐体１７の表面に対して垂直方向に移動ストロークを有する。操作片２１ａの空間的な移動に応じてボタンスイッチ２１のオン動作は確立される。空間的な移動は例えば利用者の指先による押圧操作で実現される。オン動作に応じてボタンスイッチ２１はオン動作信号を出力する。その他、筐体１７の外壁面には音量調整に用いられる「＋（プラス）」ボタンＢ１や「−（マイナス）」ボタンＢ２が設置されてもよい。
【００３２】
図２に示されるように、発言再現装置１６は音声再生機２２を備える。音声再生機２２は筐体１７内に組み込まれる。音声再生機２２は例えばスピーカーで構成されればよい。音声再生機２２は後述される音声データに基づき特定の人物の肉声を出力する。
【００３３】
発言再現装置１６は記憶装置２３を備える。記憶装置２３は筐体１７内に組み込まれる。こうして記憶装置２３はカバー本体１２に結合される。記憶装置２３は例えばメモリーといった記憶素子で構成されればよい。記憶装置２３には複数の音声データ２４ａ、２４ｂ…が記憶される。個々の音声データ２４ａ、２４ｂ…は特定の人物の肉声を特定する。個々の音声データ２４ａ、２４ｂ…には個別に映像データ２５ａ、２５ｂ…が関連づけられる。映像データ２５ａ、２５ｂ…は、音声データ２４ａ、２４ｂ…ごとに肉声に連動する人物の動画像を特定する。個々の音声データ２４ａ、２４ｂ…は例えば「１」「２」…といった数値の識別子２６で相互に識別される。
【００３４】
発言再現装置１６は処理装置２７を備える。処理装置２７は筐体１７内に組み込まれる。こうして処理装置２７はカバー本体１２に結合される。処理装置２７は例えばマイクロプロセッサーといった演算処理回路で構成されればよい。処理装置２７はボタンスイッチ２１、ディスプレイ１８、音声再生機２２および記憶装置２３に接続される。処理装置２７は、ボタンスイッチ２１のオン動作に応じて、複数の中から選択された音声データ２４ａ、２４ｂ…、および、選択された音声データ２４ａ、２４ｂ…に関連する映像データ２５ａ、２５ｂ…を特定する。処理装置２７は、特定された音声データ２４ａ、２４ｂ…に基づき音声再生機２２に音声信号を供給し、特定された映像データ２５ａ、２５ｂ…に基づきディスプレイ１８に映像信号を供給する。音声再生機２２は音声信号に基づき人物の肉声を再現する。ディスプレイ１８は映像信号に基づき肉声に連動する人物の動画像を表示する。その他、処理装置２７には「＋」ボタンＢ１および「−」ボタンＢ２が接続される。「＋」ボタンＢ１の押圧操作に応じて処理装置２７は音声再生機２２のボリュームを上げ、「−」ボタンＢ２の押圧操作に応じて処理装置２７は音声再生機２２のボリュームを下げる。
【００３５】
処理装置２７には乱数発生器２８が組み込まれる。乱数発生器２８はボタンスイッチ２１のオン動作のたびに乱数を生成する。処理装置２７は、生成された乱数に応じて音声データ２４ａ、２４ｂ…を選択する。音声データの選択にあたって乱数は識別子２６に照らし合わせられる。こうして処理装置２７はランダムに音声データ２４ａ、２４ｂ…を特定する。１つのボタンスイッチ２１に対して順不同に複数の音声データ２４ａ、２４ｂ…は割り当てられる。
【００３６】
発言再現装置１６は電源２９を備える。電源２９は筐体１７内に組み込まれる。こうして電源２９はカバー本体１２に結合される。電源２９は例えば電池で構成されればよい。ここでは、処理装置２７に電源２９が接続される。ボタンスイッチ２１、ディスプレイ１８、音声再生機２２、処理装置２７および記憶装置２３には電源２９から動作電力が供給される。ボタンスイッチ２１、ディスプレイ１８、音声再生機２２および記憶装置２３には処理装置２７を経ずに電源２９から動作電力が供給されてもよい。
【００３７】
ここで、図３に示されるように、記憶装置２３では、一括りの肉声ごとに音声データ２４ａ、２４ｂ…が構築されてもよく（図３Ａ）、複数の音声データ２４ａ、２４ｂ…で一括りの肉声が構成されてもよい（図３Ｂ）。前者の場合には、ボタンスイッチ２１でオン動作が確立されるたびに、処理装置２７は複数の中から１つの音声データ２４ａ、２４ｂ…を選択し特定する。１つの音声データ２４ａ、２４ｂ…が再生されることで、意味ある言葉が再現される。後者の場合には、ボタンスイッチ２１でオン動作が確立されるたびに、処理装置２７は複数の中から音声データ２４ａ〜２４ｅの組み合わせを選択し特定する。組み合わせられた音声データ２４ａ〜２４ｅが順番に連続して再生されることで、意味ある言葉が再現される。
【００３８】
スマートフォンカバー１１はカバー本体１２でスマートフォンＳＰに固定される。図４に示されるように、利用者の操作に基づきボタンスイッチ２１のオン動作が確立されると、すぐさま特定の人物の肉声とともに動画像が再生される。音声データ２４ａ、２４ｂ…に、成功者や著名人、歴史上の人物の名言や格言、良い言葉が含まれ、映像データ２５ａ、２５ｂ…には、それら名言や格言、良い言葉に連動する動画像が含まれていれば、利用者の耳には、特定の人物の肉声で名言や格言、良い言葉が届き、その人物映像が視覚的に訴える。こうして、利用者が悲しいと感じたとき、落ち込んだとき、苦しいと感じたときに、ボタンスイッチ２１を押圧操作するだけで、煩わしい動作を経ることなく、瞬時に利用者に視覚および聴覚を通じて名言や格言、良い言葉は伝えられる。しかも、特定の人物の肉声および人物像が用いられることから、音声再生機２２およびディスプレイ１８は擬人化され、長期にわたって新鮮さは維持されることができる。利用者は日常的にスマートフォンＳＰを持ち歩くことから、利用者は、場面ごとに、どんなところにいても、手軽に特定の人物の肉声で名言や格言、良い言葉を聞くことができ、その人物の動画像を視覚で確認することができ、名言や格言、良い言葉によって励まされ、勇気づけられ、支えられ、教えられ、癒やされ、言葉から力やエネルギーを受け取ることができる。
【００３９】
前述のように、処理装置２７は、乱数発生器２８で生成される乱数に応じて音声データ２４ａ、２４ｂ…を選択する。ボタンスイッチ２１が操作されるたびにランダムに音声データ２４ａ、２４ｂ…は選択される。利用者は、再生される肉声の言葉を予測することができない。したがって、新鮮さはさらに補強される。
【００４０】
図５は第２実施形態に係るスマートフォンカバー３１を概略的に示す。スマートフォンカバー３１では、前述の単一のボタンスイッチ２１に代えて、筐体１７の表面に複数のボタンスイッチ（感圧スイッチ）３２が配置される。ボタンスイッチ３２は均一な形状に形作られればよい。ボタンスイッチ３２は処理装置２７に接続される。個々のボタンスイッチ３２には識別子「１」「２」…が割り当てられる。したがって、個々のボタンスイッチ３２ごとに、複数の中から選択された音声データ２４ａ、２４ｂ…は割り当てられる。ボタンスイッチ３２を選ぶことで利用者は再生される肉声の言葉を選択することができる。利用者は、自ら聞きたい良い言葉を再生させ、聞くことができる。その他の構成は第１実施形態のそれと同様である。
【００４１】
図６は第３実施形態に係るスマートフォンカバー４１を概略的に示す。スマートフォンカバー４１ではディスプレイは省略される。その他の構成は第１実施形態と同様である。利用者の操作に基づきボタンスイッチ２１のオン動作が確立されると、すぐさま特定の人物の肉声が再生される。音声データ２４ａ、２４ｂ…に、成功者や著名人、歴史上の人物の名言や格言、良い言葉が含まれていれば、利用者の耳には、特定の人物の肉声で名言や格言、良い言葉が届く。こうして、利用者が悲しいと感じたとき、落ち込んだとき、苦しいと感じたときに、ボタンスイッチ２１を押圧操作するだけで、煩わしい動作を経ることなく、瞬時に利用者に名言や格言、良い言葉は伝えられる。しかも、特定の人物の肉声が用いられることから、音声再生機２２は擬人化され、長期にわたって新鮮さは維持されることができる。利用者は日常的にスマートフォンＳＰを持ち歩くことから、利用者は、場面ごとに、どんなところにいても、手軽に特定の人物の肉声で名言や格言、良い言葉を聞くことができ、名言や格言、良い言葉によって励まされ、勇気づけられ、支えられ、教えられ、癒やされ、言葉から力やエネルギーを受け取ることができる。
【００４２】
図７は第４実施形態に係る発言再現装置５１を概略的に示す。発言再現装置５１は筐体５２を備える。筐体５２は例えば利用者の掌に収まる程度の大きさに形成されればよい。筐体５２は合成樹脂材料や金属材料から成型されることができる。筐体５２の表面にはディスプレイ１８およびボタンスイッチ２１が配置される。筐体５２内には音声再生機２２や処理装置２７、記憶装置２３、電源２９その他の構成部品が収容される。こうして発言再現装置５１では前述の実施形態と同様な効果は達成される。
【００４３】
図８に示されるように、発言再現装置５１は筐体５２の外表面に粘着層５３を有してもよい。粘着層５３は、筐体５２の裏面に積層される。粘着層５３は剥離材５４で覆われる。剥離材５４には例えば剥離紙が用いられればよい。
【００４４】
粘着層５３は、手帳やスマートフォン、定期入れ、名刺入れ、小銭入れ、革製品、筆箱、消しゴム、修正テープ、ブックカバー、メガネケース、ファンデーションケース、化粧品ケース、鏡、ブラシ、ポーチ、歯磨きケース、口紅、タブレット型端末のカバー、電卓、その他の対象物の平面に発言再現装置５１を接着する粘着力を発揮することができる。こうして様々な物品に発言再現装置５１は固着されることができる。しかも、剥離材５４は粘着層５３の露出を回避する。剥離材５４は粘着層５３の粘着作用を温存する。利用者は、粘着層５３から剥離材５４を剥がし、携帯する持ち物に簡単に発言再現装置５１を固着することができる。こうして利用者は好みに応じて任意の物品に発言再現装置５１を貼り付けることができる。図９に示されるように、発言再現装置５１は、第２実施形態と同様に単一のボタンスイッチに代えて複数のボタンスイッチ３２を備えてもよく、その他、図１０に示されるように、第３実施形態と同様に発言再現装置５１からディスプレイ１８は省略されてもよい。
【符号の説明】
【００４５】
１１…スマートフォンカバー、１２…カバー本体、１８…ディスプレイ、２１…感圧スイッチ（ボタンスイッチ）、２２…音声再生機、２３…記憶装置、２４ａ…音声データ１、２４ｂ…音声データ２、２４ｃ…音声データ３、２５ａ…映像データ１、２５ｂ…映像データ２、２５ｃ…映像データ３、２７…処理装置、２８…乱数発生器、３１…スマートフォンカバー、３２…感圧スイッチ（ボタンスイッチ）、４１…スマートフォンカバー、５１…発言再現装置、５３…粘着層、５４…剥離材、ＳＰ…スマートフォン。
【図１】
2017108909.tif 000003
【図２】
2017108909.tif 000004
【図３】
2017108909.tif 000005
【図４】
2017108909.tif 000006
【図５】
2017108909.tif 000007
【図６】
2017108909.tif 000008
【図７】
2017108909.tif 000009
【図８】
2017108909.tif 000010
【図９】
2017108909.tif 000011
【図１０】
2017108909.tif 000012